(57)【要約】【課題】金属部材を使用していても、アンテナ性能を低下させることなく受信を行うことができるアンテナ付電子時計を提供する。【解決手段】電波を受信するアンテナ１０９を有するアンテナ付電子時計において、アンテナ１０９を時計内部である第１の所定位置から、第１の所定位置よりも金属部材から遠ざかる第２の所定位置へ移動させる移動機構２００ａ、２００ｂを設けたため、金属部材によるアンテナ１０９の性能低下を低減させることができる。【選択図】        図１
2008241538.tif 000002
【特許請求の範囲】
【請求項１】
基準信号を出力する基準信号発生手段と、該基準信号に基づき計時情報を出力する計時手段と、該計時情報を元に時刻を表示する表示手段と、電波を受信するアンテナを有する受信手段と、を有するアンテナ付電子時計において、前記アンテナ付電子時計の少なくとも一部が金属部材で構成されており、前記アンテナを、第１の所定位置と、該第１の所定位置よりも前記金属部材から遠ざける第２の所定位置との間で移動させる移動機構を設けたことを特徴とするアンテナ付電子時計。
【請求項２】
前記アンテナ付電子時計は、裏蓋と前記表示手段を覆うガラスとを有し、前記移動機構は、前記裏蓋と前記ガラスとの間で前記アンテナを移動させることを特徴とする請求項１に記載のアンテナ付電子時計。
【請求項３】
前記移動機構に駆動エネルギーを供給するエネルギー供給手段を有し、前記移動機構は、前記エネルギー供給手段から供給される駆動エネルギーで駆動することを特徴とする請求項１または２のいずれかに記載のアンテナ付電子時計。
【請求項４】
前記アンテナ付電子時計は、平板状の文字板を有し、前記文字板の平面に対し、垂直な方向に前記アンテナを移動させることを特徴とする請求項１〜３のいずれか１項に記載のアンテナ付電子時計。
【請求項５】
前記第１の位置は、前記文字板の表側に前記アンテナが突出せず、前記第２の位置は、前記文字板の表側に前記アンテナが突出することを特徴とする請求項４に記載のアンテナ付電子時計。
【請求項６】
前記文字板が金属製の部材で構成されていることを特徴とする請求項５に記載のアンテナ付電子時計。
【請求項７】
前記表示手段は指針軸に取り付けられて回転駆動する指針を含み、前記第２の位置は、前記アンテナが該指針の回転軌道上に位置し、前記移動機構が前記アンテナを前記第２の所定位置に移動する前に、前記指針を前記アンテナとは重ならない所定位置に退避させる指針退避制御手段を設けたことを特徴とする請求項６に記載のアンテナ付電子時計。
【請求項８】
前記受信手段は、前記第１の所定位置で予備受信を行うとともに、前記受信手段に、該予備受信の結果に基づいて、前記第２の所定位置で受信を行うか否かを判断する受信判断手段を設けたことを特徴とする請求項１〜７のいずれか１項に記載のアンテナ付電子時計。
【請求項９】
前記受信判断手段は、前記予備受信の結果に基づいて、前記第２の所定位置で受信が可能と判断した場合に、前記第２の所定位置で受信を行うことを特徴とする請求項８に記載のアンテナ付電子時計。
【請求項１０】
前記受信判断手段は、前記アンテナが前記第１の所定位置にあるときに予備受信を行った結果に基づいて、前記第１の所定位置と、前記第２の所定位置のどちらで受信を行うのかを判断することを特徴とする請求項８に記載のアンテナ付電子時計。
【請求項１１】
前記文字板には開口部が形成されており、前記移動機構は、前記文字板の開口部の一部を構成する平面部を有する文字板構成部材と前記アンテナとによって回転軸をはさんで構成したアンテナ回転体を有し、該アンテナ回転体を回転させることにより、前記第１の所定位置では前記文字板構成部材の前記平面部が前記文字板開口部に位置し、前記第２の所
定位置では前記アンテナが前記文字板の開口部に位置するようにしたことを特徴とする請求項４〜６のいずれか１項に記載のアンテナ付電子時計。
【請求項１２】
前記移動機構は、回転軸の軸線方向が前記文字板の平面に対して平行である回転部材の回転運動を、前記文字板の平面に対して垂直な方向の往復運動に変換して、該往復運動によって前記アンテナを前記第１の所定位置と前記第２の所定位置とに移動するための変換機構を有することを特徴とする請求項４〜６のいずれか１項に記載のアンテナ付電子時計。
【請求項１３】
前記金属部材は、金属製の地板、金属製の裏蓋、電池の少なくともいずれかであることを特徴とする請求項１〜１２のいずれかに１項に記載のアンテナ付電子時計。
【請求項１４】
前記アンテナ付電子時計は、略円筒状に形成されて該アンテナ付電子時計の外装部材を構成する金属製の胴を有し、前記第１の所定位置では、前記アンテナのすべてが前記胴の断面高さ範囲内に位置し、前記第２の所定位置では、前記アンテナの少なくとも一部が前記胴の断面高さ範囲外に位置することを特徴とする請求項１〜１３のいずれか１項に記載のアンテナ付電子時計。
【請求項１５】
前記アンテナは、略柱状のアンテナコアと、該アンテナコアに巻回されたコイルとを有し、前記第１および第２の所定位置において、前記アンテナコアの軸線方向が前記文字板の平面と略並行になるように、前記アンテナを配置したことを特徴とする請求項１〜１４のいずれか１項に記載のアンテナ付電子時計。
【発明の詳細な説明】
【技術分野】
【０００１】
この発明は、アンテナ付電子時計の構造に関するものである。
【背景技術】
【０００２】
従来、アンテナ付電子時計においてアンテナの配置位置は固定されアンテナの感度向上を追及することでアンテナ付電子時計としての受信性能の向上を図ることが一般的であるが、これでは受信状態のもっとも強い方向に合わせて定期的に時刻信号を受信し時刻の補正を行うことは困難であった。このような問題の解決のため、特許文献１には、アンテナを受信角度制御手段でアンテナ駆動モータにより回転させることにより、受信信号の最も強い方向を検出し受信を行う構造が開示されている。
【０００３】
また金属外装を使用している場合、金属外装により電波が遮断され、アンテナが本来もつ性能を発揮できない。このような問題の解決のため、特許文献２には、アンテナを人動にて引き出し、金属部材より離すことで金属部材の影響を排除し、アンテナが本来もつ性能を発揮する構造が開示されている。  
【特許文献１】特開平６−２４２２６４号公報（段落０００７、図２）
【特許文献２】実開平４−５３５８９号公報（実願平２−９５１５３号のマイクロフィルム）（第１１頁第１６行〜第１２頁第３行、第１１図）
【発明の開示】
【発明が解決しようとする課題】
【０００４】
しかしながら、特許文献１の構成では受信状態の強い方向にあわせて受信することは可能であるが、金属外装使用の場合、金属部材との位置関係は変わらず、金属部材の影響によるアンテナ性能の低下は解消されず、アンテナが本来持つ性能を発揮できているとはいえない。また特許文献２の構成ではアンテナを外装から引き出すため装着時には邪魔になり、またゴミの流入により時計自体に不具合をきたす可能性があった。
【課題を解決するための手段】
【０００５】
上記課題を解決するため、本発明は、アンテナを第１の所定位置と第１の所定位置よりも金属部材から遠ざける第２の所定位置との間で移動させる移動機構を設けたことを特徴としている
【０００６】
また、前記アンテナ付電子時計は、時計ケース内の裏蓋と表示手段を覆うガラスとの間でアンテナを移動させる機構であることを特徴としている。
【０００７】
また、前記移動機構は移動機構に駆動エネルギーを供給するエネルギー供給手段を有していることを特徴としている。
【０００８】
また、前記アンテナ付電子時計は平板上の文字板を有し、文字板の平面に対し垂直な方向にアンテナを移動させることを特徴としている。
【０００９】
また、前記第１の位置は前記文字板の表側にアンテナが突出しない位置であり、前記第２の位置は前記文字板の表側にアンテナが突出する位置であることを特徴としている。
【００１０】
また、指針軸に取り付けられて回転により駆動する指針を有し、前記第２の位置は前記
アンテナが指針の回転軌道上に位置し、前記移動機構が前記アンテナを前記第２の位置に移動する前に、前記アンテナとは重ならない所定位置に指針を退避させる指針退避制御手段を有していることを特徴とする。
【００１１】
また、受信時に前記第１の所定の位置で予備受信を行うとともに、受信結果に基づいて前記第２の所定位置で受信を行うか否かを判断する受信判断手段を有していることを特徴とする。
【００１２】
また、前記文字板には開口部が形成されており、文字板の開口部の一部を構成する平面部を有する文字板構成部材と前記アンテナが同一部材に回転軸をはさんで構成されたアンテナ回転体を有しアンテナ回転体の回転によりアンテナを第２の所定位置に移動させ、アンテナが第１の所定位置に移動しているときには文字板構成部材が前記文字板と同一面をなす機構を有することを特徴とする。
【００１３】
また、前記文字板に開口部が形成されており、文字板の開口部の平面に対し、垂直方向の往復運動を行う機構により前記アンテナを第１の所定位置および第２の所定位置に移動させることを特徴とする。
【００１４】
また、前記アンテナ付電子時計を構成する金属部材は、地板、裏蓋、電池の少なくともいずれかであることを特徴とする。
【００１５】
また、前記アンテナ付電子時計は略円筒状に形成された該アンテナ付電子時計の外装部材を構成する金属製胴を有し、前記第１の所定位置では、前記アンテナのすべてが前記胴の断面高さ範囲内に位置し、前記第２の所定位置では、前記アンテナの少なくとも一部が前記胴の断面高さ範囲外に位置することを特徴とする。
【００１６】
また、前記アンテナは、略柱状のアンテナコアと該アンテナコアに巻回されたコイルとを有し、前記第１および第２の所定位置において、前記アンテナコアの軸線方向が前記文字板の平面と略並行になるように前記アンテナを配置したことを特徴とする。
【発明の効果】
【００１７】
本発明によれば、前記アンテナを第１の所定位置と、該第１の所定位置よりも前記金属部材から遠ざけた第２の所定位置の間を移動させることで金属部材の影響によるアンテナ性能の低下を低減することが可能となる。
【発明を実施するための最良の形態】
【００１８】
以下に添付図面を参照して、この発明にかかるアンテナ付電子時計の好適な実施の形態を詳細に説明する。
【００１９】
図１は本発明の第１の実施の形態にかかるアンテナ付電子時計における本体の外観を示す図であり、図１（ａ）は、アンテナ付電子時計の通常使用状態、図１（ｂ）はアンテナ付電子時計の受信状態を示している。図２は本発明の第１の形態にかかるアンテナ付電子時計における本体の断面図であり、図２（ａ）は図１（ａ）のＡ−Ａ線断面図、図２（ｂ）は図１（ｂ）のＢ−Ｂ線断面図である。
【００２０】
図１、図２において１００は腕に装着して使用する腕時計のバンドを除いた本体である。本体１００は時計機構と時計機構を収納する外装ケースを有し、外装ケースは、金属製の略円筒形状の胴１２０と、胴１２０の一方の開口部側に取り付けられた金属製の裏蓋１１３と胴１２０の他方の開口部側に取り付けられた透明なガラス１１２とを有している。
【００２１】
本体１００の外周部には複数の操作ボタン１１６ａ、１１６ｂ、１１６ｃを備えている。さらに本体１００は時刻を表示するための表示部である複数の指針軸に取り付けられて回転または回転駆動する指針（秒針１０１ａ、分針１０１ｂ、時針１０１ｃ）を備える。本体１００は開口部１１４ａを持つ平板状の文字板１１４を備えている。
【００２２】
時計機構は、略柱状のアンテナコアとアンテナコアに巻回されたコイルからなるアンテナ１０９と、アンテナ１０９を後述する第１の所定位置および第１の所定位置より後述する金属部材から遠ざけられた第２の所定位置に移動するための移動機構２００ａと、移動機構２００ａを駆動させる駆動エネルギーを供給するアンテナ移動用モータ４００と、アンテナ１０９により受信された信号を検波し時刻情報を抽出する受信ＩＣ１１７と、アンテナ１０９と受信ＩＣ１１７を接続するための接続部材１１１と、受信ＩＣ１１７からの時刻情報をもとに時刻を表示する指針の位置を修正する信号を発生させるマイコンＩＣ１１８と、マイコンＩＣ１１８からの信号をもとに時刻を表示する指針の位置を修正する時刻修正用モータ（図示しない）を備えている。
【００２３】
前記移動機構２００ａは、文字板平面と平行な軸を中心に回転する回転軸を、前記アンテナ１０９と、文字板開口部１１４ａに位置して文字板の一部を構成する平面部を有する文字板構成部材１１９とで挟んで一体化したアンテナ回転体１１０を備えている。さらに、移動機構２００ａは、前記アンテナ回転体１１０を回転させるための駆動力を前記アンテナ移動用モータ４００から伝達する歯車Ａ１０５、歯車Ｂ１０６、歯車Ｃ１０７、歯車Ｄ１０８とを備えている。この移動機構２００ａにより文字板平面に対し、垂直な方向に前記アンテナ１０９を移動させることが可能となる。また、アンテナ移動用モータ４００は一般のモータと同様に、コイルブロック１０２とステータ１０３とロータ１０４を備えている。
【００２４】
接続部材１１１ａ、１１１ｂは、弾性を有する金属製の板状部材であり、回路基板１１５の平面に対して略垂直になるように一端が回路基板１１５の接続パターンに固着さる。そして、接続部材１１１ａ、１１１ｂの他端側がアンテナ回転体１１０に設けられた図示しない回路基板の接点に押圧され、この接続部材１１１ａ、１１１ｂに接続される。アンテナ回転体１１０が有する回路基板は、アンテナ１０９のアンテナ線に接続されている。すなわち、接続部材１１１ａ、１１１ｂによって、回路基板１１５とアンテナ１０９とが電気的に接続される。
【００２５】
前記第１の所定位置は、アンテナ１０９が金属製の裏蓋１１３と文字板１１４との間に配置される位置である。したがって、アンテナ１０９が第１の所定位置にあるときには、アンテナ１０９が胴１１４に囲まれているとともに、胴１２０、裏蓋１１３や、図示しない、電池、金属製の地板や歯車、などの金属部材に比較的近い位置にあり、アンテナ１０９の利得が低下するなど、受信性能が低下する、受信条件としては好ましくない位置ではあるが、時計の外部からはアンテナ１０９が視認されない。
【００２６】
前記第２の所定位置は、前記アンテナ１０９が、前記ガラス１１２と文字板１１４の間に配置され、指針（秒針１０１ａ、分針１０１ｂ、時針１０１ｃ）の回転軌道と重なる位置であり、前記金属部材から比較的遠く、しかも、比較的電波を受信しやすい胴１２０の開口部に近い位置にある。第２の所定位置は、前記第１の所定の位置と比較すると、アンテナ１０９が金属部材から遠ざかるので、アンテナ１０９の受信利得等の受信性能が低下しない、受信条件としては、より、好ましい位置であるが、時計の外部からアンテナ１０９が視認される位置である。
【００２７】
特に、文字板１１４が金属部材で構成されていても、第２の所定位置では、胴１２０、裏蓋１１３、文字板１１４の金属部材に囲まれる空間外にアンテナ１０９が位置するので
アンテナ１０９の受信性能の低下を低減することができる。
【００２８】
図７は本発明の第１の実施の形態にかかる電波受信および時刻修正の動作の内容を示すフローチャートである。
ここで、本実施の形態における電波受信及び時刻修正の受信動作を、図７のフローチャートを用いて説明する。
【００２９】
マイコンＩＣ１１８にあらかじめもしくはユーザーが任意に指定した受信開始時刻に達した場合、受信準備を開始する（ステップＳ７０１：ＹＥＳ）。このときは、アンテナ付電子時計が図１（ａ）、図１（ｂ）の状態にある。受信準備を開始するとマイコンＩＣ１１８からの信号により時刻を表示している全指針（秒針１０１ａ、分針１０１ｂ、時針１０１ｃ）は図示しない時刻修正用モータにより１２時位置もしくは前記アンテナの第２の所定位置とは重ならない位置に移動する（ステップＳ７０２）。
【００３０】
その後、アンテナ回転体１１０を回転させるアンテナ移動用モータ４００が駆動し、前記アンテナ移動用モータ４００と係合し、文字板平面に対し垂直な軸を中心に回転するように配置、係合された歯車１０５、１０６、１０７を回転させる。歯車１０７と係合するアンテナ回転体１１０に構成された歯車１０８は、文字板平面に対し平行な軸を中心に回転するように配置されているので、歯車１０７の文字板平面に対し垂直な軸を中心に回転する駆動を文字板平面に対し平行な軸を中心に回転する駆動に変換する。それによりアンテナ回転体１１０を回転させ、アンテナ回転体１１０に配置されたアンテナ１０９が第１の所定位置から第２の所定位置に移動する（ステップＳ７０３）。すなわち、アンテナ付電子時計が図１（ｂ）、図２（ｂ）に示す状態になる。
【００３１】
この状態で電波の受信を開始する（ステップＳ７０４）。アンテナ１０９からアンテナ回転体１１０に設けられアンテナ線が接合された回路基板と回路基板および受信ＩＣ１１７を搭載した基板１１５の間を弾性を持った接続部材１１１で接合することによりアンテナ１０９からの信号を受信ＩＣ１１７に入力し時刻情報を抽出する。受信が成功した場合（ステップＳ７０５：ＹＥＳ）、アンテナを第２の所定位置から第１の所定位置に移動させた後（ステップＳ７０６）、抽出した時刻情報は受信ＩＣ１１７よりマイコンＩＣ１１８に送られ、マイコンＩＣ１１８より図示しない時計時刻修正用モータを駆動させ、秒針１０１ａ、分針１０１ｂ、時針１０１ｃを正確な時刻に修正する（ステップＳ７０７）。
【００３２】
以上説明したように、本実施形態によれば、アンテナ１０９と文字板構成部材１１９とアンテナ回転体１１０からなる移動機構２００ａにより、金属部材から比較的近い第１の所定位置から金属部材から比較的遠い第２の所定位置に移動することで、金属部材の影響によるアンテナ性能の低下を低減することが可能となる。
【００３３】
上記実施の形態において、受信信号をアンテナ１０９から受信ＩＣ１１７に送る手段は弾性を持った金属性の板状の接続部材でなく、ＦＰＣ等弾性をもった回路基板により接合してもよい。
【００３４】
上記実施形態において、アンテナ１０９が第２の所定位置に固定されているとき、文字板開口部１１４ａに位置して文字板の一部を構成する平面部を有する文字板構成部材１１９を配置していたが、同サイズの液晶表示機器を配置しておいてもよい。
【００３５】
上記実施形態において、アンテナ回転体１１０は、アンテナ１０９と文字板構成部材１１９とでアンテナ回転体１１０を挟むようにこれらを配置している。すなわちアンテナ１０９とアンテナ回転体１１０の回転軸が平面的に重なる位置であったが、第１の実施の形態の変形例として、図５、図６のように文字板構成部材１１９とアンテナ回転体１１０の
回転軸に対しアンテナ１０９を平面的に重ならない位置に配置してもよい。
【００３６】
この場合、図６（ａ）に示すように、アンテナ１０９が第１の所定位置にあるときに、アンテナ回転体１１０の回転軸を時計中心側に配置し、アンテナ１０９を胴１２０側に配置するとよい。これにより第１の所定位置から第２の所定位置に移動したときに、上記実施形態と同様、断面的に裏蓋、歯車、地板、文字板等の金属部材から遠い位置に移動できるのに加え、アンテナ回転体１１０が１８０度回転することによって、アンテナ１０９とアンテナ回転体１１０の回転軸との平面的な位置関係が逆になり、すなわち、アンテナ１０９を平面的に時計中心に移動することができることから、アンテナ１０９を金属部材からなる胴からもより遠ざけることができる。
【００３７】
次に、本発明の第２の実施の形態について説明する。図３は本発明の第２の実施の形態にかかるアンテナ付電子時計の本体の外観を示す図であり、図３（ａ）は、アンテナ付電子時計の通常使用状態、図３（ｂ）はアンテナ付電子時計の受信状態を示している。図４は本発明の第２の実施の形態にかかるアンテナ付電子時計の本体の断面図であり、図４（ａ）は図３（ａ）のＣ−Ｃ線断面図、図４（ｂ）は、図３（ｂ）のＤ−Ｄ線断面図である。第１の実施の形態と異なるのは移動機構であり、それ以外の構成は第１の実施の形態と同様であるため、同じ符号を付してその説明を省略する。
【００３８】
アンテナ１０９を第１の所定位置および第２の所定位置に移動するための実施の形態２における移動機構２００ｂは、アンテナ１０９と、アンテナ１０９を支持するためのアンテナ支持台３０３からなるアンテナ保持部と、アンテナ移動用モータ４００からの駆動力を伝えるための歯車３０１ｃを備えるアンテナ移動車３０１と、移動車３０１の回転中心となる回転軸３０１ａと、回転軸３０１ａに対して偏心した位置で移動車３０１に取り付けられた作動軸３０１ｂと、作動軸３０１ｂとアンテナ支持台３０３とを連結する連結部材３０２と、アンテナ支持台３０３を文字板平面の同一位置を上下に往復させるための規制部３０６を備えている。また前記アンテナ移動車３０１に形成された歯車３０１ｃと係合し、アンテナ移動用モータ４００からの駆動エネルギーを伝達する歯車１０５、歯車１０６を備えている。
【００３９】
文字板１１４には、アンテナ１０９の移動と連動して開閉するように構成された扉部３０５ａ、３０５ｂがあり、扉部３０５ａと３０５ｂには、回動軸３０５ａ１と３０５ｂ１とが設けられている。アンテナ１０９が第１の所定位置から第２の所定位置に移動したときにはアンテナ１０９の移動と連動して回動軸３０５ａ１と３０５ｂ１とが回動して扉部３０５ａ、３０５ｂが開き、アンテナ１０９が第２の所定位置から第２の所定位置に移動したときには逆にアンテナ１０９の移動と連動して扉部３０５ａ、３０５ｂが閉じるように構成されている。
【００４０】
回路基板１１５とアンテナ１０９のアンテナ線とは、図示しないＦＰＣを介して電気的に接続されている。このＦＰＣは、例えば、アンテナ側の端部がアンテナ支持台３０３に固定されてアンテナ１０９のアンテナ線に接続されている。従って、アンテナ支持台３０３が上下に往復移動しても、それに応じてＦＰＣが変形するように構成されている。
【００４１】
実施の形態２の基本的な動作は実施の形態１と同様であるため、実施の形態２においても、実施の形態１と同様に図７のフローチャートを用いて電波受信及び時刻修正の受信動作を説明する。
時計が図３（ａ）、図４（ａ）の状態において、受信時刻になったら（ステップＳ７０１：ＹＥＳ）、時刻を表示している各指針は時刻修正用モータにより１２時位置もしくは前記アンテナの第２の所定位置と重ならない位置に移動する（ステップＳ７０２）。
【００４２】
その後アンテナ移動用モータ４００が駆動し、前記アンテナ移動用モータ４００と係合し、文字板平面に対し垂直な軸を中心に回転するように配置、係合された歯車１０５、１０６を回転させる。そして、歯車１０６と係合する歯車３０１ｃは、文字板平面に対し平行な軸を中心に回転するように配置されているため、歯車１０６の文字板平面に対し垂直な軸を中心に回転する駆動を、文字板平面に対し平行な軸を中心に回転する駆動に変換する。それにより、アンテナ移動車３０１を回転軸３０１ａを中心に回転させ、アンテナ移動車３０１の回転中心から偏心した位置に配置された作動軸３０１ｂと規制部３０６の作用によりアンテナ移動車３０１の回転はアンテナ支持台３０３を往復運動させる運動となり、第１の所定位置から第２の所定位置に移動する（ステップＳ７０３）すなわち、図３（ｂ）、図４（ｂ）の状態になる。
【００４３】
この状態で受信を開始し、受信された信号はＦＰＣを介して、受信ＩＣ１１７に入力され（ステップＳ７０４）、受信が成功した場合には（ステップＳ７０５：ＹＥＳ）、移動機構２００ｂを動作させてアンテナ１０９を第１の所定の位置に戻し（Ｓ７０６）、各指針を正確な時刻に修正する（ステップＳ７０７）。
【００４４】
以上説明したように、本実施形態によれば、アンテナを文字板に対し垂直方向に往復移動させる移動手段により、金属部材に比較的近い第１の所定位置から金属部材から比較的遠い第２の所定位置に移動することにより、金属部材の影響によるアンテナ性能の低下を低減することが可能となる。
【００４５】
上記実施形態において文字板開口部と同一面をなす文字板構成部材がアンテナの移動にともない扇状に開閉する機構となっているが、文字板開口を塞ぐ状態と塞がない状態とに、文字板平面に対し平行にスライドする部材を設けて開閉する機構でもよい。
【００４６】
上記実施形態において、アンテナ移動車はモータからの駆動を伝える回転軸と前記回転軸と偏心した位置に配置された作動軸からなっていたが、作動軸をカム形状にしてアンテナ保持部を文字板平面に対し垂直方向に往復させる機構にしてもよい。
【００４７】
上記第１及び第２の実施の形態において、受信時に第２の所定位置に移動するための駆動エネルギーはモータでなく、例えば、りゅうずやＰＢ（プッシュボタン）による人動であってもよい。
【００４８】
さらに、上記第１及び第２の実施の形態において、受信時に各指針を１２時に移動させるのではなく、任意のアンテナの第２の所定位置にあるアンテナ１０９と重ならない位置であれば、１２時以外の位置に移動させてもよい。または定時受信を第２の所定位置にあるアンテナ１０９と各指針とが重ならない時刻に設定し、受信時でも各指針を移動させない仕様としてもよい。
【００４９】
また、上記第１及び第２の実施の形態において、受信開始とともにアンテナ１０９を第２の所定位置に移動させていたが、図７に示す受信時間の判定後（ステップＳ７０１：ＹＥＳ）、アンテナ１０９は第１の所定位置にて受信を行い、受信状態の良悪を判定し悪かった場合のみ、ステップＳ７０２に示す、時刻修正モータを駆動し、指針を１２時位置に移動し、アンテナ１０９を第２の所定位置に移動させ、受信をおこなう仕様にしてもよい。
【００５０】
また、上記第１及び第２の実施の形態においては、胴１２０の断面高さを、裏蓋１１３からガラス１１２までとして、胴１２０にガラス１１２を取り付けたが、これに限らず、胴１２０の断面高さを短くして、ガラス１１２と胴１２０との間に、プラスチック性の環状ベゼルを設けても良い。例えば、胴１２０の断面高さを、裏蓋１１３から秒針１０１ａ
程度までとし、秒針１０１ａとガラス１１２との間にプラスチック性の環状のベゼルを配置しても良い。そして、アンテナ１０９を第２の所定位置に移動したときに、アンテナ１０９の少なくとも一部が、胴１２０の開口部から突出し、胴１２０の断面高さ範囲外に位置するようにしてもよい。このように構成することにより、アンテナ１０９の少なくとも一部が、金属製の胴１２０に囲まれないので、時計の外部からの電波をさらに受信しやすくなる。
【００５１】
または、図７に示す受信時間の判定後（ステップＳ７０１：ＹＥＳ）、アンテナ１０９は第１の所定位置にて、通常の受信動作よりも短い時間だけ受信動作をする予備受信を行い、予備受信の結果に基づいて、アンテナが第２の所定位置で受信に成功すると判断した場合だけ、アンテナを第２の所定位置に移動するようにしてもよい。
【００５２】
また、上記第１及び第２の実施の形態において、アンテナが第１の所定位置に固定されているときは文字板開口部はアンテナ位置とは異なる位置に移動し、その位置に液晶表示のようなデジタル表示部をもうけ、表示され、アンテナが第２の所定位置すなわち受信を行うときには、文字板自身が時計中心を中心に回転し文字板開口部がアンテナ位置に移動しアンテナ移動のための開口部となってもよい。  
【図面の簡単な説明】
【００５３】
【図１】本発明の第１の実施の形態にかかるアンテナ付電子時計の本体の外観を示す図であり、（ａ）は、アンテナ付電子時計の通常使用状態を示した図、（ｂ）はアンテナ付電子時計の受信状態を示した図である。
【図２】本発明の第１の形態にかかるアンテナ付電子時計の本体の断面図であり、（ａ）は図１（ａ）のＡ−Ａ線の断面図、（ｂ）は、図１（ｂ）のＢ−Ｂ線の断面図である。
【図３】本発明の第２の実施の形態にかかるアンテナ付電子時計における本体の外観を示す図であり、（ａ）は、アンテナ付電子時計の通常使用状態を示した図、（ｂ）はアンテナ付電子時計の受信状態を示した図である。
【図４】本発明の第２の実施の形態にかかるアンテナ付電子時計の本体の断面図であり、（ａ）は図３（ａ）のＣ−Ｃ線断面図、（ｂ）は、図３（ｂ）のＤ−Ｄ線断面図である。
【図５】第１の実施の形態の変形例であるアンテナ付電子時計の本体の外観を示す図であり、（ａ）は、アンテナ付電子時計の通常使用状態を示した図、（ｂ）はアンテナ付電子時計の受信状態を示した図である。
【図６】本発明の第１の実施の形態の変形例であるアンテナ付電子時計の本体の断面図であり、（ａ）は図５（ａ）のＥ−Ｅ線断面図、（ｂ）は、図５（ｂ）のＦ−Ｆ線断面図である。
【図７】本発明の第１及び第２の実施の形態にかかるアンテナ付電子時計の動作の内容を示すフローチャートである。
【符号の説明】
【００５４】
１００  （アンテナ付電子時計の）本体
１０１（１０１ａ、１０１ｂ、１０１ｃ）指針
１０２  コイルブロック
１０３  ステータ
１０４  ロータ
１０５  歯車Ａ
１０６  歯車Ｂ
１０７  歯車Ｃ
１０８  歯車Ｄ
１０９  アンテナブロック
１１０  アンテナ回転体
１１１（１１１ａ、１１１ｂ）接点部材
１１２  風防ガラス
１１３  裏蓋
１１４（１１４ａ）文字板、開口部
１１５  回路基板
１１６  外部操作部材
１１７  受信ＩＣ
１１８  マイコンＩＣ
１１９  文字板構成部材
１２０  胴
３０１  アンテナ移動車
３０２  連結部材
３０３  アンテナ支持台
３０５（３０５ａ、３０５ｂ）文字板構成部材
３０６  移動規制部
２００ａ、２００ｂ  移動機構
４００  アンテナ移動用モータ
【図１】
2008241538.tif 000003
【図２】
2008241538.tif 000004
【図３】
2008241538.tif 000005
【図４】
2008241538.tif 000006
【図５】
2008241538.tif 000007
【図６】
2008241538.tif 000008
【図７】
2008241538.tif 000009